(57)【要約】      （修正有）【課題】薬剤の調製作業について均質な作業品質を確保し、調製作業の効率性を向上させる。【解決手段】薬剤の処方データに応じて実行する薬剤調製作業を支援する薬剤調製支援装置３０であって、接続部３６と、入力部３７ａ、３７ｂと、制御部３１と、表示部３８と、を備える。接続部３６は、薬剤調製作業の少なくとも一部である作業工程を自動的に実行する一以上の調製機器５１〜５３に接続可能である。入力部３７ａ、３７ｂは、薬剤調製作業を行う作業者の操作による情報の入力を受け付ける。制御部３１は、一以上の調製機器５１〜５３からの情報及び作業者の操作による情報のうち少なくとも一方に基づき、薬剤調製作業に関する情報を更新する。表示部３８は、制御部３１により更新された薬剤調製作業に関する情報を薬剤調製作業の進捗に応じて表示する。【選択図】図３
2014057755.tif 000002
【特許請求の範囲】
【請求項１】
薬剤の処方データに応じて実行する薬剤調製作業を支援する薬剤調製支援装置であって、
前記薬剤調製作業の少なくとも一部である作業工程を自動的に実行する一以上の調製機器に接続可能な接続部と、
前記薬剤調製作業を行う作業者の操作による情報の入力を受け付ける入力部と、
前記一以上の調製機器からの情報及び前記作業者の操作による情報のうち少なくとも一方に基づき、前記薬剤調製作業に関する情報を更新する制御部と、
前記制御部により更新された前記薬剤調製作業に関する情報を前記薬剤調製作業の進捗に応じて表示する表示部と、
を備える、薬剤調製支援装置。
【請求項２】
前記一以上の調製機器は、異なる作業工程をそれぞれ自動的に実行する複数種の調製機器を含む、
請求項１に記載の薬剤調製支援装置。
【請求項３】
前記一以上の調製機器は、薬剤の秤量を自動的に実行し、
前記一以上の調製機器からの情報は、前記薬剤調製作業の進捗に応じた前記薬剤の重量を示す情報を含む、
請求項１に記載の薬剤調製支援装置。
【請求項４】
それぞれが請求項１から３のいずれかに記載の薬剤調製装置及び前記一以上の調製機器を含む複数の調製ユニットと、
前記薬剤調製装置から更新された前記薬剤調製作業に関する情報を取得し、記憶する管理装置と、
を備える、薬剤調製支援システム。
【請求項５】
前記複数の調製ユニットは、前記一以上の調製機器の数又は種類に関して異なるモジュールを含む、
請求項４に記載の薬剤調製支援システム。
【請求項６】
薬剤調製作業の少なくとも一部である作業工程を自動的に実行する一以上の調製機器に接続可能な表示装置を用いて、前記薬剤調製作業を支援する薬剤調製支援方法であって、
前記薬剤調製作業を行う作業者の操作による情報の入力を受け付け、
前記一以上の調製機器からの情報及び前記作業者の操作による情報のうち少なくとも一方に基づき、前記薬剤調製作業に関する情報を更新し、
更新された前記薬剤調製作業に関する情報を前記薬剤調製作業の進捗に応じて前記表示装置により表示する、
薬剤調製支援方法。
【発明の詳細な説明】
【技術分野】
【０００１】
本発明は、病院等において実施される薬剤を調製する作業を支援する装置等に関するものである。
【背景技術】
【０００２】
病院等の施設においては、患者ごとの処方箋に応じて、薬剤（例えば、高カロリー輸液や抗がん剤等の注射薬）の混合・調製作業が行なわれる。この作業は、特殊な設備（クリーンベンチ、安全キャビネット等）を使って薬剤師等の作業者によって行われる。薬剤を混合・調製するには、無菌状態にしたり、作業者の安全を確保したりするため、特殊な設備及び環境の下で作業が行なわれる（例えば、特許文献１及び特許文献２参照）。
【先行技術文献】
【特許文献】
【０００３】
【特許文献１】特許第４９３４１５７号明細書
【特許文献２】特開２０１０−２７９７３８号公報
【発明の概要】
【発明が解決しようとする課題】
【０００４】
薬剤の混合・調製作業は、総合病院等の大規模な施設においては大量に発生する上、時間もかかる。更に、薬剤の混合・調製作業は、従来手作業で行われることが多いため、作業品質は作業者の個々の技量や経験に依存するところが大きい。また将来増加が見込まれる在宅医療に対応できるよう、患者にとってより身近な薬局において注射薬の混合・調製作業が行なわれることが望まれる中、作業者の安全性を確保しつつ効率よく作業を行うとともに、作業者の個々の技量や経験に依存しない均質な作業品質を確保する必要がある。
【０００５】
本開示は、薬剤の調製作業について均質な作業品質を確保し、調製作業の効率性を向上させるのに有効な装置、システム及び方法を提供する。
【課題を解決するための手段】
【０００６】
本開示における薬剤調製支援装置は、薬剤の処方データに応じて実行する薬剤調製作業を支援する薬剤調製支援装置であって、接続部と、入力部と、制御部と、表示部と、を備える。接続部は、薬剤調製作業の少なくとも一部である作業工程を自動的に実行する一以上の調製機器に接続可能である。入力部は、薬剤調製作業を行う作業者の操作による情報の入力を受け付ける。制御部は、一以上の調製機器からの情報及び作業者の操作による情報のうち少なくとも一方に基づき、薬剤調製作業に関する情報を更新する。表示部は、制御部により更新された薬剤調製作業に関する情報を薬剤調製作業の進捗に応じて表示する。
【０００７】
本開示における薬剤調製支援システムは、それぞれが上記薬剤調製装置及び一以上の調製機器を含む複数の調製ユニットと、薬剤調製装置から更新された薬剤調製作業に関する情報を取得し、記憶する管理装置と、を備える。
本開示における薬剤調製支援方法は、薬剤調製作業の少なくとも一部である作業工程を自動的に実行する一以上の調製機器に接続可能な表示装置を用いて、薬剤調製作業を支援する薬剤調製支援方法であって、薬剤調製作業を行う作業者の操作による情報の入力を受け付け、一以上の調製機器からの情報及び作業者の操作による情報のうち少なくとも一方に基づき薬剤調製作業に関する情報を更新し、更新された薬剤調製作業に関する情報を薬剤調製作業の進捗に応じて表示装置により表示する。
【発明の効果】
【０００８】
本開示によれば、薬剤の調製作業について均質な作業品質を確保し、作業者の安全性を確保しつつ調製作業の効率性を向上させるのに有効である。
【図面の簡単な説明】
【０００９】
【図１】実施の形態における薬剤調製支援システム全体の構成例を示す図
【図２】実施の形態における管理サーバ及び管理端末の構成例の概略図
【図３】実施の形態における調製作業端末の構成例の概略図
【図４】実施の形態における薬剤調製支援システムの調製ユニットを示す図
【図５】実施の形態における調製機器の一例を示す図
【図６】実施の形態における薬剤調製支援システムによる全体の処理の流れを示すフローチャート
【図７】実施の形態における管理端末の表示画面の一例を示す図
【図８】実施の形態における調製作業端末の表示画面の一例を示す図
【図９】実施の形態における調製作業端末の表示画面の一例を示す図
【図１０】実施の形態における調製作業端末の表示画面の一例を示す図
【図１１】実施の形態における調製作業端末の表示画面の一例を示す図
【図１２】実施の形態における調製作業端末の表示画面の一例を示す図
【図１３】実施の形態における最終鑑査工程におけるメッセージの一例を示す図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者は、当業者が本開示を十分に理解するために添付図面及び以下の説明を提供するのであって、これらによって特許請求の範囲に記載の主題を限定することを意図するものではない。
【００１１】
（実施の形態）
以下、図１〜１１を用いて、実施の形態１について説明する。
［１−１．構成］
［１−１−１．薬剤調製支援システムの構成］
図１は、実施の形態１における薬剤調製支援システム１（薬剤調製支援システムの一例）の全体構成を示す。薬剤調製支援システム１は、例えば病院内において、抗がん剤や高カロリー輸液等の注射薬の混合・調製作業を支援するシステムとして用いられる。薬剤調製支援システム１は、調製過誤の発生リスクを軽減し、作業者の安全性を確保しつつ、混合・調製作業を効率化し、更に調製作業のトレーサビリティを向上させることを目的とする。
【００１２】
図１に示すように、本実施の形態に係る薬剤調製支援システム１は、管理サーバ１０（管理装置の一例）と、管理端末２０と、複数の調製作業端末３０（薬剤調製支援装置又は表示装置の一例）と、を備える。
管理サーバ１０は、薬剤調製支援システム１の処理全体を管理する管理装置であって、ネットワークＮを介して管理端末２０や調製作業端末３０に接続される。なお、ネットワークＮは、有線であっても無線であってもよく、例えば管理端末２０は有線で接続され、調製作業端末３０は無線で接続されるものであってもよい。なお、以下の説明においても、接続とは、特に断らない限り有線、無線のいずれであってもよいものとする。
【００１３】
ネットワークＮはローカルエリアネットワークであってもよいし、その一部がインターネットを介するものであってもよい。
管理サーバ１０は、電子カルテシステム等の注射薬の処方データ発生源システム９と接続され、同システムから医師により作成された処方データを受信する。管理端末２０は、ネットワークＮを介して管理サーバ１０にアクセスし、後述するように薬剤調製作業に関する情報を含む複数患者の施用情報を一括して管理・表示する。
【００１４】
各調製作業端末３０は、一施用毎の薬剤調製作業の進捗情報を管理・表示すると共に、ネットワークＮを介して管理サーバ１０に入力された調製作業の進捗情報を送信する。調製作業端末３０は、薬剤調製作業を行なう無菌状態に維持されたクリーンルーム内の安全キャビネットＣ（又は、クリーンベンチ等）に設置され、後述する調製ユニットにおいて調製機器に接続される。
ネットワークＮには更に調製作業の結果を鑑査するのに用いられる最終鑑査端末６０が接続される。
以下、管理サーバ１０、管理端末２０、及び調製作業端末３０の各構成について具体的に説明する。
【００１５】
［１−１−２．管理サーバの構成］
図２は管理サーバ１０の構成の一例を概略的に示す。管理サーバ１０は、バスＢを介して接続されるＣＰＵ１１と、ＲＡＭ１３と、通信部１５と、所定のインターフェース１６を介して接続される記憶部１９とを含むコンピュータ装置である。ＣＰＵ１１は、各種アプリケーションプログラム等を実行することにより、各部の制御や情報の生成を行う演算ユニットである。ＲＡＭ１３は、ＣＰＵ１１の処理において実行されるプログラム、及びプログラム処理において適宜変化するパラメータの格納エリア、ワーク領域として使用される。通信部１５は、ネットワークＮを介して他の装置と通信を行なう。記憶部１９は、情報記憶媒体としての例えばハードディスク等の外部記憶装置である。また、管理サーバ１０は、例えばデータベース（図示省略）を有し、後述する薬剤の調製管理データ等の情報を記憶、更新する。
【００１６】
［１−１−３．管理端末の構成］
図２は更に、管理端末２０の構成の一例を概略的に示す。管理端末２０は、ネットワークＮを介して、管理サーバ１０にアクセスしそのデータベースの情報を読み込んで表示する。管理端末２０は、バスＢを介して接続されるＣＰＵ２１と、ＲＡＭ２３と、通信部２５と、所定のインターフェース２６を介して接続される入力部２７と、表示部２８と、記憶部２９とを含むコンピュータ装置である。ＣＰＵ２１は、各種アプリケーションプログラム等を実行することにより、各部の制御や情報の生成を行う演算ユニットである。ＲＡＭ２３は、ＣＰＵ２１の処理において実行されるプログラム、及びプログラム処理において適宜変化するパラメータの格納エリア、ワーク領域として使用される。通信部２５は、ネットワークＮを介して他の装置と通信を行なう。入力部２７は、ＣＰＵ２１に各種の指令を入力するためにユーザにより操作される。表示部２８はディスプレイであり、各種情報をテキスト又はイメージ等により表示する。記憶部２９は、例えば、情報記憶媒体としての例えばフラッシュメモリ、ハードディスク等の外部記憶装置である。
【００１７】
［１−１−４．調製作業端末の構成］
図３は、調製作業端末３０の構成の一例を概略的に示す。調製作業端末３０は、バーコード等により読み込まれた施用情報に基づき管理サーバ１０にアクセスし、そのデータベースの処方データを読み込んで表示すると共に、薬剤調製作業の進捗情報の入力を受け付けてその情報を管理サーバ１０に送信する。調製作業端末３０は、処方データ等に沿って複数の薬剤を調製する際の調製内容、作業工程及びその進捗情報、調製記録等の表示を行う携帯可能なタッチパネル等である。バスＢを介して接続されるＣＰＵ３１と、ＲＡＭ３３と、通信部３５と、所定のインターフェース３６（接続部の一例）を介して接続されるバーコード入力部３７ａ（入力部の一例）と、タッチ操作部３７ｂ（入力部の一例）と、表示部３８（表示部の一例）と、記憶部３９とを含む。ＣＰＵ３１は、各種アプリケーションプログラム等を実行することにより、各部の制御や情報の生成を行う演算ユニットである。ＲＡＭ３３は、ＣＰＵ３１の処理において実行されるプログラム、及びプログラム処理において適宜変化するパラメータの格納エリア、ワーク領域として使用される。通信部３５は、ネットワークＮを介して他の装置と通信を行なう。バーコード入力部３７ａは、施用情報を入力するためのバーコードを読み込んだり、後述する調製ユニットに接続・設置されたバーコードリーダ５１ａにより読み取られた情報を入力する。タッチ操作部３７ｂは、作業者のタッチ操作等により情報や各種の指令をＣＰＵ２１入力するために操作される。なお、入力部の形態はこれに限られない、操作キーやキーボード等の入力部を備えていてもよい。表示部３８はディスプレイであり、各種情報をテキスト又はイメージ等により表示する。記憶部３９は、例えば、フラッシュメモリ等の外部記憶装置である。
調製作業端末３０は更に、後述する調製機器に所定のインターフェース３６を介して接続されている。調製機器は、薬剤の調製作業の一部である作業工程を自動的に実行する機器である。本実施の形態においては、調製機器の種類として、自動秤量装置５１、自動移注装置５２、及び自動撹拌装置５３を例に挙げて説明する。
【００１８】
［１−１−５．調製ユニット］
調製ユニット（調製ユニットの一例）は、調製作業端末３０と調製機器との組み合わせ、又は調製作業端末３０のみから構成される。各調製ユニットは、一つの安全キャビネットＣに設置され、使用される。薬剤調製支援システム１には複数種の調製ユニットが接続され、後述するように、管理サーバ１０により薬剤の混合・調製の際に最も適した調製ユニット（一つの安全キャビネットに対応）を選択することにより、調製工程を効率よく且つ安全に行う。
【００１９】
図４は、調製ユニットの種類を示す。図４（ａ）は調製ユニット１を示し、調製作業端末３０と、自動秤量装置５１、自動移注装置５２、及び自動撹拌装置５３との組み合わせから構成される。図４（ｂ）は調製ユニット２を示し、調製作業端末３０と、自動秤量装置５１及び自動移注装置５２との組み合わせから構成される。図４（ｃ）は調製ユニット３を示し、調製作業端末３０と自動秤量装置５１との組み合わせから構成される。図４（ｄ）は調製ユニット４を示し、調製作業端末３０のみから構成される。調製ユニット４は作業を従来の手技のみで行うパターンである。
【００２０】
これらの複数種の調製ユニットは、薬剤調製システム１に設けられ、後述するように、調製の制約、調製の実施予定日時、患者の待ち時間等に応じて施用毎、つまり薬剤調製作業毎に最も適した調製ユニットが選択される。
以下、各調製機器の機能について簡単に説明する。これらの調製機器は、薬剤の混合・調製作業を効率化安全性の確保、及び薬剤調製作業のトレーサビリティの向上等のため、作業者による調製作業を支援するものである。
【００２１】
＜自動秤量装置＞
自動秤量装置５１は、薬剤調製作業のうち、秤量作業工程を作業者が意識せず重量鑑査できるようにするためのものである。
図５は、自動秤量装置５１の一例を示す。自動秤量装置５１は、同図に示すように、調製作業端末３０を接続可能に構成されている。自動秤量装置５１には、バーコードリーダ５１ａ（図３）が接続されており、バーコード情報を読み取って、その薬剤の重量を調製作業端末３０に送信する。自動秤量装置５１はまた、載置される薬剤の総重量を測定し、その測定情報を調製作業端末３０に送信する。
【００２２】
自動秤量装置５１は、例えば、図５に示すように、複数の薬剤ビンがそれぞれ載置される薬剤載置部５１１と、輸液バッグや輸液ボトル等を載置する輸液載置部５１２とを有し、薬剤の注入前後の重量差を測定する。これにより、手動で秤量する方法に比して、作業者は、薬剤を注入する度に薬剤ビンを秤量器に載せ替えたり、スイッチを操作したりする等の動作を行う必要ない。また、自動秤量装置５１は調製作業端末３０に接続されていることにより、測定結果を自動的に調製作業端末３０に送信し、表示させることができる。また、薬剤の使用量や調製作業手順等の情報を調製作業端末３０を介して管理サーバ１０に送信しデータベースに記憶することにより、薬剤調製作業の詳細なエビデンスを確保することができる。
【００２３】
なお、バーコードリーダは、調製ユニット内の他の調製機器に接続されていてもよい。
＜自動移注装置＞
自動移注装置５２は、薬剤ビンから薬剤を輸液バッグ等に自動移注する装置である。従来、薬剤の注入は手技で行うことが多いが、輸液に移注する液量を誤ったり、異なる薬剤を注入する等のリスクがある。自動移注装置５２は、例えばセットした薬剤ビンから輸液バッグ等に薬剤を自動注入することにより、高精度な移注を可能にする。
【００２４】
＜自動撹拌装置＞
自動撹拌装置５３は、粉末薬剤を扱う場合、攪拌対象である薬剤を手技で液注入し、薬剤の自動攪拌を行う装置である。従来、薬剤の撹拌は手技で行うことが多いが、時間がかかる他、作業者の熟練度等によって溶解性能にばらつきが出る。自動撹拌装置５３は、例えば撹拌する薬剤ビンを自動的に回転させたり水平方向に振動させることにより、短時間で粉末薬剤を泡立ちなく溶解させるようにする。
【００２５】
［１−２．動作］
図６は、本実施の形態における薬剤調製支援システム１による全体の処理の流れを示す。
［１−２−１．ステップＳ１０１：処方データ取得及び薬剤取揃え工程］
まず、薬剤調製支援システム１において、管理サーバ１０は医師により作成された処方データを受信する。管理サーバ１０は、受信された処方データに基づき、調製管理データ（薬剤調製作業に関する情報の一例）を生成し、データベースに記憶し管理する。具体的には、処方データに基づき、調製の実施予定日時、患者ＩＤ、診療科ＩＤ、入院／外来の情報、病棟ＩＤ、薬剤払出先等を含むデータを生成する。更にこれらのデータにより特定される施用に対し、後述する薬剤調製作業や最終鑑査の進捗に応じて、調製作業端末３０から送信されるデータに基づき、調製作業者ＩＤ、調製の進捗、調製完了日時、鑑査者ＩＤ、鑑査完了日時、調製機器（手技又は使用する調製ユニット）等のデータを生成し、管理する。
作業者は、取得した処方データに基づき、実際の薬品を取り揃える。
【００２６】
［１−２−２．ステップＳ１０２：調製前準備］
管理端末２０は、管理サーバ１０により生成された調製管理データを表示する。図７は、管理端末２０の表示部２８（図２）に表示される調製管理データの一表示例を示す。２０１は操作・検索ボタン表示部を示し、２０２は調製管理データ表示部を示す。調製管理データ表示部２０２のうち、製作業者ＩＤ、調製の進捗、調製完了日時、鑑査者ＩＤ、鑑査完了日時、調製機器（使用する調製ユニット）等のデータは、調製作業端末３０から送信されるデータに基づく調製作業や最終鑑査の進捗に応じて、逐次更新、表示される。
【００２７】
作業者は、調製作業を開始する前に、まず管理端末２０の画面を確認する。特に、調製管理データ表示部２０２には、当該調製作業に適するものとし推奨される調製ユニット（例えば、調製ユニット１）が表示される。推奨される調製ユニットについては、例えば符号２０２１により示されるように特殊な表示がなされる。推奨される調製ユニットの決定は、調製の制約、調製の実施予定日時、患者の待ち時間等の情報に基づき管理サーバ１０により決定され、管理端末２０に出力される。このように、推奨する調製ユニットを事前に表示することにより、作業者は、調製作業に入る前に、施用毎にいずれの調製ユニットを使用すれば効率的且つ確実に作業を行えるかを確認することができる。なお、この推奨される調製ユニットの表示は、後述する調製作業において、実際に使用する調製ユニットによりバーコードを読み込んだとき、その情報が管理サーバ１０に送信され、調製管理データが更新される。この更新に合わせて管理端末２０の表示も変更され、確定される（例えば、黒文字）。この場合、推奨された調製ユニットと異なる調製ユニットを用いる場合も、実際に使用する調製ユニットの情報に変更され、確定される。
【００２８】
また、管理端末２０は、操作・検索ボタン表示部２０１を介して調製管理データ表示部２０２の情報の条件検索やソートを行うことができる。更に、管理端末２０は、ルーチンの作業の検索条件を保存するようにしてもよい。これにより、例えば、作業者がルーチンの作業を行っている途中で所定のデータ検索作業を行うために検索条件を変更した場合、そのデータ検索作業終了後、ルーチン作業の検索条件を再度入力することなく一回の操作で読み出すことができる。これにより、ルーチン作業にすぐに戻ることができる。
このように、管理端末２０によれば、作業者は、施行時刻やその他の優先度を考慮し各調製ユニットへの適切なナビゲーションを得ることができる。更に、作業者は、各調製ユニットによる各施用の作業進捗・結果を一括してモニタリングすることができる。
【００２９】
［１−２−３．ステップＳ１０３：薬剤調製作業］
作業者は、安全キャビネットやクリーンベンチ内において調製作業端末３０の画面を見ながら調製作業を行う。調製作業端末３０においては、バーコード入力部３７ａやタッチ操作部３７ｂを介して作業者により入力される情報や、接続された調製ユニットの調製機器から入力される情報に基づき、調製作業の進捗に応じて、表示部３８により表示される情報が更新され画面に表示される。以下、画面の遷移例を用いて調製作業端末３０を用いて実行される薬剤調製作業の工程を説明する。
【００３０】
図８〜１２は、薬剤調製作業の各作業工程において調製作業端末３０の表示部３８に表示される表示例３００を示す。３０１は、調製作業の各作業工程の進捗状況を示すと共に、タッチ操作ボタンを示す。図示例においては、作業工程が未完了の場合操作ボタンは「未完了」を表示し、作業工程が実行中の場合は「完了」を表示し、作業工程が終了した場合は「済み」を表示する。３０２は、各作業工程の詳細情報を示す表示部である。３０３は、作業者に対する注意喚起事項等を含むメッセージを示す表示部である。
【００３１】
図８の表示例は、例えば調製作業端末３０により施用情報をバーコード入力して管理サーバ１０より読み出した処方データの内容を確認するための画面である。作業者は、表示部３０２や３０３を確認して、表示された処方内容や注意事項を確認し、問題がなければ表示部３０１の「処方内容確認」のタッチ操作ボタンを押し、「完了」から「済み」に表示を遷移させる。その後画面は、図９の画面に遷移する。処方内容確認が完了したことの情報は、管理サーバ１０に送信され、管理サーバ１０の調製管理データが更新される。この更新情報は、管理端末２０により表示される情報（特に、調製進捗）に反映される。なお、調製作業を継続しない場合は、操作ボタンによりキャンセル終了させる。また調製作業を中断する場合（作業進行を中断させる場合）は、操作ボタンにより一時中断させる。
【００３２】
図９の表示例は、作業者が、薬剤の取揃えを確認するための画面である。作業者は、例えばバーコードリーダ５１ａにより取り揃えた各薬剤のバーコードを読み込む。読み込んだ情報は、調製作業端末３０のＣＰＵ３１により処理され、記憶部３９（図３）に記憶されると共に、図９の表示部３０２に示すように「取揃え」欄において薬剤の取り揃え状況が表示される。作業者は、表示部３０２や３０３を確認して、薬剤が取り揃えられたかどうかや注意事項を確認する。なお、図示例では、処方内容と異なる薬剤が読み込まれたため表示部３０３において注意を喚起している。以上の作業を終了後、問題がなければ表示部３０１の「薬剤取揃え」のタッチ操作ボタンを押し、「完了」から「済み」に表示を遷移させると共に、図１０又は図１２の画面に遷移する。薬剤取揃えが完了したことの情報は、管理サーバ１０に送信され、管理サーバ１０の調製管理データが更新される。この更新情報は、管理端末２０により表示される情報（特に、調製進捗）に反映される。なお、調製作業を継続しない場合は、操作ボタンによりキャンセル終了させる。また調製作業を中断する場合（作業進行を中断させる場合）は、操作ボタンにより一時中断させる。
【００３３】
図１０の表示例は、作業者が、薬剤に対して溶解液を注入する作業工程を確認するための画面である。なお、溶解液の注入や撹拌の必要がない場合は移注工程（図１２）に遷移する。ここでは、作業者は、表示部３０２や３０３を確認して、作業を進める。以上の作業を終了後、問題がなければ表示部３０１の「溶解液注入」のタッチ操作ボタンを押し、「完了」から「済み」に表示を遷移させる。その後画面は、図１１又は図１２の画面に遷移する。溶解液注入が完了したことの情報は、管理サーバ１０に送信され、管理サーバ１０の調製管理データが更新される。この更新情報は、管理端末２０により表示される情報（特に、調製進捗）に反映される。なお、調製作業を継続しない場合は、操作ボタンによりキャンセル終了させる。また調製作業を中断する場合（作業進行を中断させる場合）は、操作ボタンにより一時中断させる。
【００３４】
図１１の表示例は、作業者が、溶解液を注入した薬剤を撹拌する作業工程を確認するための画面である。ここでは、作業者は、表示部３０２や３０３を確認して、作業を進める。また表示部３０２には、自動撹拌装置（調製機器３）を用いた場合又は手動で撹拌する場合の撹拌作業手順を示す画面を表示するようにしてもよい。撹拌作業の終了後、問題がなければ表示部３０１の「撹拌（溶解）」のタッチ操作ボタンを押し、「完了」から「済み」に表示を遷移させる。その後画面は、図１２の画面に遷移する。撹拌作業が完了したことの情報は、管理サーバ１０に送信され、管理サーバ１０の調製管理データが更新される。この更新情報は、管理端末２０により表示される情報（特に、調製進捗）に反映される。なお、調製作業を継続しない場合は、操作ボタンによりキャンセル終了させる。また調製作業を中断する場合（作業進行を中断させる場合）は、操作ボタンにより一時中断させる。調製作業端末３０においては、接続されている調製機器（例えば、自動撹拌装置５３）から障害情報を取得し、表示部３８により表示するようにしてもよい。
【００３５】
図１２の表示例は、作業者が、取り揃えた薬剤を補液に移注する工程を確認するための画面である。作業者は、表示部３０２や３０３を確認して、作業を進める。また表示部３０２には、自動移注装置５２を用いた場合又は手動で移注する場合の移注作業手順を示す画面を表示するようにしてもよい。移注作業の終了後、問題がなければ表示部３０１の「補液への移注」のタッチ操作ボタンを押し、「完了」から「済み」に表示を遷移させる。移注作業が完了したことの情報は、管理サーバ１０に送信され、管理サーバ１０の調製管理データが更新される。この更新情報は、管理端末２０により表示される情報（特に、調製進捗）に反映される。なお、調製作業を継続しない場合は、操作ボタンによりキャンセル終了させる。また調製作業を中断する場合（作業進行を中断させる場合）は、操作ボタンにより一時中断させる。調製作業端末３０においては、接続されている調製機器（例えば、自動移注装置５２）から障害情報を取得し、表示部３８により表示するようにしてもよい。
以上のように、調製作業端末３０を使用することによって、作業ステップ毎の表示を確認しながら作業を進めることができるため、作業者は個々の技量や経験に依存しない均質な調製作業品質を確保することができる。
【００３６】
［１−２−４．ステップＳ１０４：最終鑑査工程］
次に、最終鑑査工程を行う。この最終鑑査は、作業者と異なる鑑査者（薬剤師等）により調製された薬剤と処方データとを照合することにより、問題がないかが確認される。更に最終鑑査においては、調整ユニットより出力された薬剤の秤量結果を用いて使用された薬剤の量に問題がないかが確認される。鑑査情報（鑑査者ＩＤ、鑑査完了日時、鑑査印、鑑査コメント等）は、最終鑑査端末６０を介して鑑査者により入力され、その情報は管理サーバ１０に送信され、管理サーバ１０の調製管理データが更新される。この更新情報は、管理端末２０により表示される情報（特に、鑑査者ＩＤ，鑑査完了日時、鑑査印、鑑査コメント等）に反映される。更に鑑査者は、鑑査結果のコメントを入力し、調製管理データに含めることができる。例えば、図１３（ａ）及び図１３（ｂ）に示すように、鑑査管理データと共に上記鑑査結果のコメン（メッセージ）を最終鑑査端末６０によって生成し管理サーバ１０において記憶させる。
以上のように、調製作業及び最終鑑査に関する情報は、管理サーバ１０により更新され記憶される。この情報に基づいて薬剤調製作業及び最終鑑査のエビデンスが確保される。
【００３７】
［１−３．効果等］
以上のように、本実施の形態においては、調製作業端末３０により調製作業の進捗状況を逐次表示する。これにより、調製作業者は、調製作業を効率よく進めながら、個々の技量や経験に依存しない均質な作業品質を確保することができる。
【００３８】
本実施の形態においては、調製作業端末３０を介して各調製作業工程における情報が管理サーバ１０に逐次送信され記憶されるため、トレーサビリティを向上させ、詳細かつ信頼性の高い薬剤調製作業のエビデンスを確保できる。
本実施の形態においては、また、薬剤調製支援システム１の管理サーバ１０よって生成・更新される調製管理データを管理端末２０によって一括して表示させることにより、作業者は、調製作業に入る前に多数の施用のうちいずれの施用に関する調製作業を優先して実行すべきか、或いはどのような調製ユニットを用いると効率的に調製作業を行なえるかを把握することができる。これにより、薬剤調製作業をより効率よく安全に実施することができる。
【００３９】
（他の実施の形態）
本発明の具体的な構成は、前述の実施形態及び変形例に限られるものではなく、明細書の記載、並びに周知の技術に基づいて、当業者がその変更、応用することは本発明の予定するところであり、発明の要旨を逸脱しない範囲で種々の変更及び修正が可能である。
上記実施の形態においては、調製機器として自動秤量装置５１、自動移注装置５２、及び自動撹拌装置５３を挙げたがこれに限定されない。秤量、移注、撹拌以外の作業を自動的に行う装置を含めてもよいし、これらの一部又は全てを組み合わせた自動化装置を用いてもよい。
【００４０】
また、一つの薬剤調製支援システム１における調製ユニットの数や種類は上記実施の形態のものに限定されない。例えば、調製機器が同じ組み合わせの調製ユニットが複数備えられていてもよい。また、調製機器として自動移注装置５２及び／又は自動移注装置５２を含む調製ユニットを設けてもよい。
管理サーバ１０、管理端末２０、及び調製作業端末３０の形態は上記実施の形態のものに限られない。例えば、管理サーバ１０及び管理端末２０は一装置であってもよいし、それぞれが複数の装置から構成されていてもよい。また、ネットワークの構成も上記実施の形態のものに限られない。
【００４１】
上記実施の形態においては、薬剤調製支援システム１は主に病院内に設置されるものとして説明したが、これに限定されない。例えば、薬局に設定されるものであってもよい。
上記実施の形態においては最終鑑査端末６０を用いて最終鑑査を実行しているが、遠隔監視による鑑査を行ってもよい。この場合、クリーンルーム内に薬剤調製作業を監視する監視カメラを設置し、その映像を遠隔鑑査端末に送信することにより、他の専門家（薬剤師等）による薬剤調製作業の鑑査を行う。
【産業上の利用可能性】
【００４２】
本開示は、薬剤調製作業を支援する装置やシステムに適用可能である。
【符号の説明】
【００４３】
１                  薬剤調製支援システム
９                  処方データ発生源システム
１０                管理サーバ
１１                ＣＰＵ
１３                ＲＡＭ
１５                通信部
１６                インターフェース
１９                記憶部
２０                管理端末
２１                ＣＰＵ
２３                ＲＡＭ
２５                通信部
２６                インターフェース
２７                入力部
２８                表示部
２９                記憶部
３０                調製作業端末（薬剤調製支援装置又は表示装置の一例）
３１                ＣＰＵ（制御部の一例）
３３                ＲＡＭ
３５                通信部
３６                インターフェース（接続部の一例）
３７ａ              バーコード入力部（入力部の一例）
３７ｂ              タッチ操作部（入力部の一例）
３８                表示部（表示部の一例）
３９                記憶部
５１                自動秤量装置（調製機器の一例）
５２                自動移注装置（調製機器の一例）
５３                自動撹拌装置（調製機器の一例）
６０                最終鑑査端末                                                                         
【図１】
2014057755.tif 000003
【図２】
2014057755.tif 000004
【図３】
2014057755.tif 000005
【図４】
2014057755.tif 000006
【図５】
2014057755.tif 000007
【図６】
2014057755.tif 000008
【図７】
2014057755.tif 000009
【図８】
2014057755.tif 000010
【図９】
2014057755.tif 000011
【図１０】
2014057755.tif 000012
【図１１】
2014057755.tif 000013
【図１２】
2014057755.tif 000014
【図１３】
2014057755.tif 000015